(57)【要約】【課題】弁体の左右のロック機構の連結部分が流路を流れる流体にさらされることの防止【解決手段】開閉装置1は、下水Ｗの流れを受け、流れの下流方向に、中空のゲート回転軸26を回転中心にして倒れることが可能なゲート10と、ゲート10を支持することにより、ゲート10が倒れることを防止し、上流から見てゲートの左側および右側に各々が配置される二つの倒れ防止部20a、20bと、倒れ防止部の一方によるゲートの支持を解除する第一支持解除部22bと、倒れ防止部の他方によるゲートの支持を解除する第二支持解除部22aと、ゲート回転軸26の内部に配置され、ゲート回転軸26と同じ方向に延伸する共通回転軸28と、共通回転軸28を回転させながら、第一支持解除部22bを作動させる第一解除作動部29b,24bと、共通回転軸28の回転に伴い、第二支持解除部22aを作動させる第二解除作動部29a,24aとを備える。【選択図】図１３
2010180567.tif 000002
【特許請求の範囲】
【請求項１】
流体の流れを受け、該流れの下流方向に、中空のゲート回転軸を回転中心にして倒れることが可能なゲートと、
前記ゲートを支持することにより、前記ゲートが倒れることを防止し、上流から見て前記ゲートの左側および右側に各々が配置される二つの倒れ防止部と、
前記倒れ防止部の一方による前記ゲートの支持を解除する第一支持解除部と、
前記倒れ防止部の他方による前記ゲートの支持を解除する第二支持解除部と、
前記ゲート回転軸の内部に配置され、前記ゲート回転軸と同じ方向に延伸する共通回転軸と、
前記共通回転軸を回転させながら、前記第一支持解除部を作動させる第一解除作動部と、
前記共通回転軸の回転に伴い、前記第二支持解除部を作動させる第二解除作動部と、
を備えた開閉装置。
【請求項２】
請求項１に記載の開閉装置であって、
前記第一支持解除部および前記第二支持解除部は左右対称であり、
前記第一解除作動部および前記第二解除作動部は左右対称である、
開閉装置。
【請求項３】
請求項１に記載の開閉装置であって、
前記第一解除作動部は、前記第一支持解除部を引っ張ることにより、前記第一支持解除部を作動させ、
前記第二解除作動部は、前記第二支持解除部を引っ張ることにより、前記第二支持解除部を作動させる、
開閉装置。
【請求項４】
請求項１に記載の開閉装置であって、
前記第一解除作動部および前記第二解除作動部の各々は、
前記共通回転軸に固定され、前記共通回転軸とともに回転する回転部と、
前記回転部に連結され、前記回転部の回転に伴い下降する下降部分と、
を有し、
前記第一支持解除部および前記第二支持解除部は、前記倒れ防止部の各々を前記流れの外側に引っ張ることにより、前記ゲートの支持を解除し、
さらに、前記第一支持解除部および前記第二支持解除部は、前記下降部分に連結され、前記下降部分の下降を受けて、前記倒れ防止部の各々を前記流れの外側への引っ張る、
開閉装置。
【発明の詳細な説明】
【技術分野】
【０００１】
本発明は、下水道などの流路に使用する開閉装置に関する。
【背景技術】
【０００２】
従来より、下水道などの流路に使用する開閉装置が知られている（例えば、特許文献１を参照）。このような開閉装置は、通常は弁体が閉じられた状態で流路をせきとめている。すると、流路の下流には、ごみがたまる。ここで、降雨等により流路の水位が所定の水位以上となると、弁体が開いた状態となって流路の下流に水が流れ、下流にたまったごみを流し去ることができる。すなわち、流路の洗浄を行うことができる。
【０００３】
なお、流路の水位が所定の水位以上となったか否かを検知するためには、フロートを用いることが知られている（例えば、特許文献１の図１を参照）。
【０００４】
また、弁体の左右に枠柱を立て、左右の枠柱にロック機構によって弁体を左右の枠柱にロックして、弁体を開かないようにしておくことが知られている（例えば、特許文献１の図５、図６を参照）。この場合、フロートとロック機構が連動することにより、流路の水位が所定の水位以上となったときに、ロック機構によるロックが解除されて、弁体が開く。なお、左右の枠柱にそれぞれ設けられたロック機構におけるロック解除が同時に行うため、左右のロック機構が連結されている。
【０００５】
さらに、弁体が開いた状態において、水位が低下していけば、弁体をばね（スプリング）の力によって、閉じた状態に戻すことが知られている（例えば、特許文献１の図１を参照）。この場合、弁体が開いた状態において、ばねが生じる力が大きくなるようにされている。
【特許文献１】特開２００４−３００８９５号公報
【発明の開示】
【発明が解決しようとする課題】
【０００６】
ここで、左右のロック機構を連結する連結部分は、流路を流れる流体（下水など）にさらされないことが好ましい。連結部分が下水などにさらされると、連結部分に汚物等が付着して、連結部分の動作を阻害するからである。
【０００７】
そこで、本発明は、弁体の左右のロック機構の連結部分が、流路を流れる流体にさらされることを防止することを課題とする。
【課題を解決するための手段】
【０００８】
本発明にかかる開閉装置は、流体の流れを受け、該流れの下流方向に、中空のゲート回転軸を回転中心にして倒れることが可能なゲートと、前記ゲートを支持することにより、前記ゲートが倒れることを防止し、上流から見て前記ゲートの左側および右側に各々が配置される二つの倒れ防止部と、前記倒れ防止部の一方による前記ゲートの支持を解除する第一支持解除部と、前記倒れ防止部の他方による前記ゲートの支持を解除する第二支持解除部と、前記ゲート回転軸の内部に配置され、前記ゲート回転軸と同じ方向に延伸する共通回転軸と、前記共通回転軸を回転させながら、前記第一支持解除部を作動させる第一解除作動部と、前記共通回転軸の回転に伴い、前記第二支持解除部を作動させる第二解除作動部とを備えるように構成される。
【０００９】
上記のように構成された開閉装置によれば、ゲートは、流体の流れを受け、該流れの下流方向に、中空のゲート回転軸を回転中心にして倒れることが可能である。二つの倒れ防止部は、前記ゲートを支持することにより、前記ゲートが倒れることを防止し、上流から見て前記ゲートの左側および右側に各々が配置される。第一支持解除部は、前記倒れ防止部の一方による前記ゲートの支持を解除する。第二支持解除部は、前記倒れ防止部の他方による前記ゲートの支持を解除する。共通回転軸は、前記ゲート回転軸の内部に配置され、前記ゲート回転軸と同じ方向に延伸する。第一解除作動部は、前記共通回転軸を回転させながら、前記第一支持解除部を作動させる。第二解除作動部は、前記共通回転軸の回転に伴い、前記第二支持解除部を作動させる。
【００１０】
なお、本発明にかかる開閉装置は、前記第一支持解除部および前記第二支持解除部は左右対称であり、前記第一解除作動部および前記第二解除作動部は左右対称であるようにしてもよい。
【００１１】
なお、本発明にかかる開閉装置は、前記第一解除作動部は、前記第一支持解除部を引っ張ることにより、前記第一支持解除部を作動させ、前記第二解除作動部は、前記第二支持解除部を引っ張ることにより、前記第二支持解除部を作動させるようにしてもよい。
【００１２】
なお、本発明にかかる開閉装置は、前記第一解除作動部および前記第二解除作動部の各々は、前記共通回転軸に固定され、前記共通回転軸とともに回転する回転部と、前記回転部に連結され、前記回転部の回転に伴い下降する下降部分と、を有し、前記第一支持解除部および前記第二支持解除部は、前記倒れ防止部の各々を前記流れの外側に引っ張ることにより、前記ゲートの支持を解除し、さらに、前記第一支持解除部および前記第二支持解除部は、前記下降部分に連結され、前記下降部分の下降を受けて、前記倒れ防止部の各々を前記流れの外側への引っ張るようにしてもよい。
【発明を実施するための最良の形態】
【００１３】
以下、本発明の実施形態を図面を参照しながら説明する。
【００１４】
図１は、本発明の実施形態にかかる開閉装置１を下水道１００Ｕ、１００Ｌに設けたときの動作の概要を説明する図であり、下水道１００Ｕの水位が低いときの図（図１（ａ））、下水道１００Ｕの水位が高くなりつつあるときの図（図１（ｂ））、下水道１００Ｕの水位が所定の高さ以上になった後の図（図１（ｃ））である。なお、開閉装置１のゲート１０を図示したが、開閉装置１の他の構成要素は図１においては図示省略する。
【００１５】
まず、下水道１００Ｕが上流側、下水道１００Ｌ側が下流側にある。開閉装置１は図示省略したマンホールを通して、下水道１００Ｕと下水道１００Ｌとの間に配置される。通常は、下水道１００Ｕを流れる下水Ｗの水位が低い（図１（ａ）参照）。このとき、ゲート１０は、立っており、下水道１００Ｕを流れる下水Ｗ（流体の一種）の流れを受ける。すると、ゲート１０により下水Ｗはせきとめられ、下流側の下水道１００Ｌには下水Ｗが流れない。すると、ゴミＧが下水道１００Ｌにたまる。
【００１６】
ここで、降雨等により下水道１００Ｕを流れる下水Ｗの水位が上昇する（図１（ｂ）参照）。そして、下水道１００Ｕの水位が所定の高さ以上になると（図１（ｂ）参照）、ゲート１０が倒れ、下水Ｗが下水道１００Ｕから下水道１００Ｌに流れる。これにより、下水道１００ＬにたまったゴミＧが流れ去り、下水道１００Ｌを洗浄できる。
【００１７】
図２は、開閉装置１の斜視図（ゲート１０が立っている状態）である。図３は、開閉装置１の斜視図（ゲート１０が倒れている状態）である。図４は、開閉装置１を上流側から見た図（図４（ａ））、下流側から見た図（図４（ｂ））である。
【００１８】
開閉装置１は、ゲート１０、枠柱１２ａ、１２ｂ、底部１２ｃ、プレート１４、第一フロート１８、第二フロート１６、フロート支え３０、下部支点３２、下側フロート挿入体３４Ｌ、上側フロート挿入体３４Ｕ、上部支点３６、吊り下げ部材３８、吊り下げ支点４０、プレート５０を備える。
【００１９】
ゲート１０は、ゲート１０の脇に立つ枠柱１２ａ、１２ｂと、ゲート１０の底に配置される底部１２ｃに囲まれ、さらに、プレート１４により部分的に覆われる。ゲート１０は、立っているときに、水流を受けて、せきとめている（図２参照）。しかし、水流の水位が高まって、第一フロート１８および第二フロート１６が浮上すると、ゲート１０が下流側に倒れ、下水Ｗ等の流体が下流に流れる（図３参照）。
【００２０】
なお、図２および図３においては、左側が上流側、右側が下流側となる。また、第一フロート１８および第二フロート１６の比重は、ゲート１０が立った状態で受けている流体の比重よりも小さいものとする。しかも、第一フロート１８および第二フロート１６は、ゲート１０よりも上流側に配置されている。さらに、第二フロート１６は第一フロート１８よりも上に配置されている。
【００２１】
なお、フロート支え３０は、第一フロート１８よりも下に配置され、枠柱１２ｂに固定されている。フロート支え３０の下部支点３２に、下側フロート挿入体３４Ｌが固定されている。下側フロート挿入体３４Ｌは、上下方向に延伸し、第一フロート１８に下から挿入される。第一フロート１８は、下側フロート挿入体３４Ｌに沿って上下に動くことができる。上側フロート挿入体３４Ｕは、第二フロート１６を貫通し、第一フロート１８に上から挿入される。吊り下げ部材３８は、その上部支点３６に上側フロート挿入体３４Ｕが固定されており、第一フロート１８を吊り下げる部材である。吊り下げ部材３８は、吊り下げ支点４０により、枠柱１２ｂに固定されている。第一フロート１８が浮上しない場合は、上側フロート挿入体３４Ｕも上昇せず、吊り下げ部材３８も水平のままである（図８、図９参照）。第一フロート１８が浮上すると、上側フロート挿入体３４Ｕも上昇し、上部支点３６が上昇するように、吊り下げ部材３８が吊り下げ支点４０を中心として回転する（例えば、図１０参照）。
【００２２】
なお、図４（ａ）に示す浮上防止部４４については、後で、図５、図６を参照して説明する。
【００２３】
プレート５０は、枠柱１２ｂの上部に固定されている。
【００２４】
図５は、開閉装置１の側面図であり、上流側から見て左側面図（図５（ａ））、右側面図（図５（ｂ））である。図６は、開閉装置１の浮上防止部４４近傍の拡大正面図である。図７は、ゲート１０が立っている状態の、倒れ防止部２０ａ、２０ｂ近傍を透視した平面図である。
【００２５】
開閉装置１は、これまで説明したものの他に、倒れ防止部２０ｂ、２０ａ、第一支持解除部２２ｂ、第二支持解除部２２ａ、浮上防止部４４、第二フロート支持はり４１、浮上防止解除部４２、ゲート回転軸２６、共通回転軸２８、回転部２９ｂ、２９ａ、下降部分２４ｂ、２４ａ、第一バネ５２ａ、第二バネ（第二力発生部）５２ｂ、リンク５４、回転体５６ａ、５６ｂを備える。
【００２６】
ゲート１０は、中空のゲート回転軸２６（図１３参照）を回転中心（回転軸）として倒れることができる。なお、倒れた状態のゲート１０を図５においては点線で図示している。
【００２７】
図７を参照して、倒れ防止部２０ｂ、２０ａは、下流側の面１０ａに接触して、水流に対抗する力をゲート１０に与えている。言い換えれば、倒れ防止部２０ｂ、２０ａは、ゲート１０の下流側の面１０ａを支持している。なお、倒れ防止部２０ｂ、２０ａは、ゲート１０を支持することにより、ゲート１０が下流側に倒れることを防止している。上流側から見ると、倒れ防止部２０ｂが右側に、倒れ防止部２０ａが左側に配置されている。
【００２８】
図７を参照して、第一支持解除部２２ｂおよび第二支持解除部２２ａは、上流側から見て（下流側から見ても）左右対称である。
【００２９】
第一支持解除部２２ｂは、倒れ防止部２０ｂを水流（流れ）の外側（図７では右側）に引っ張ることにより、倒れ防止部２０ｂがゲート１０に接触する点をゲート１０から外し、倒れ防止部２０ｂによるゲート１０の支持を解除する（図１２参照）。
【００３０】
第二支持解除部２２ａは、倒れ防止部２０ａを水流（流れ）の外側（図７では左側）に引っ張ることにより、倒れ防止部２０ａがゲート１０に接触する点をゲート１０から外し、倒れ防止部２０ａによるゲート１０の支持を解除する（図１２参照）。
【００３１】
なお、図５（ａ）においては、図示の便宜上、浮上防止解除部４２、浮上防止部４４、プレート５０を図示省略している。さらに、図５（ａ）においては、リンク５８（図１５（ａ）に図示）も図示省略し、第一バネ５２が回転部５６ａに固定されているように図示している。
【００３２】
浮上防止部４４は、第一フロート１８の浮上を防止する。
【００３３】
図６を参照して、浮上防止部４４は、衝突部分４４ｂ、固定部分４４ａ、回転可能部分４４ｃを有する。
【００３４】
衝突部分４４ｂは、吊り下げ部材３８の上方に位置し、吊り下げ部材３８の上昇する部分（衝突部分４４ｂの真下にある、吊り下げ部材３８の部分）の上昇時に吊り下げ部材３８に衝突する。第一フロート１８が浮上すれば、吊り下げ部材３８の上昇する部分も上昇する。しかし、吊り下げ部材３８が衝突部分４４ｂに衝突するので、第一フロート１８が浮上できない。
【００３５】
固定部分４４ａは、流れに対して静止している部分（例えば、プレート５０）に、衝突部分４４ｂを固定する。なお、衝突部分４４ｂは、固定部分４４ａを中心として回転可能である。なお、固定部分４４ａはプレート５０に固定されていることは他の図面では図示省略している。
【００３６】
回転可能部分４４ｃは、固定部分４４ａと同じ程度の高さに位置し、固定部分４４ａを中心として回転可能である。
【００３７】
なお、衝突部分４４ｂおよび回転可能部分４４ｃは一体であり、回転可能部分４４ｃが固定部分４４ａまわりに回転した角度だけ、衝突部分４４ｂも固定部分４４ａまわりに回転する。
【００３８】
第二フロート支持はり４１は、枠柱１２ｂに支点４１ａ（図８参照）において固定されており、第二フロート１６を支持する。第二フロート支持はり４１は、支点４１ａを中心として回転可能である。
【００３９】
浮上防止解除部（駆動部）４２は、第二フロート支持はり４１の接続点４１ｂ（支点４１ａよりも上流側に配置される）（図８参照）に回転可能に接続される。第二フロート１６が浮上すると、第二フロート支持はり４１が支点４１ａを中心として回転し、接続点４１ｂが上昇する。すると、浮上防止解除部（駆動部）４２が上昇し、回転可能部分４４ｃを上に突き動かし、回転可能部分４４ｃが固定部分４４ａを中心に回転する。すると、吊り下げ部材３８の上方から、衝突部分４４ｂが移動してしまい（図１１参照）、衝突部分４４ｂの真下にある、吊り下げ部材３８の部分の上昇を妨げるものは無くなる。浮上防止解除部（駆動部）４２は、このようにして、第二フロート１６の浮上に伴い、浮上防止部４４による第一フロート１８の浮上の防止を解除する。
【００４０】
共通回転軸２８は、図１３を参照して、中空のゲート回転軸２６の内部に配置され、ゲート回転軸２６と同じ方向に延伸する。
【００４１】
回転部２９ｂ、２９ａは、共通回転軸２８に固定され、共通回転軸２８とともに回転する。例えば、回転部２９ｂが回転すると、その回転とともに共通回転軸２８が回転する。共通回転軸２８が回転すると、回転部２９ａが回転する。
【００４２】
リンク５４は、その一端５４ａが吊り下げ部材３８に接続され、他端の近傍５４ｂが回転部２９ｂに接続されている。
【００４３】
下降部分２４ｂは、回転部２９ｂの端部（他端の近傍５４ｂとは反対側）に回転できるように固定される。回転部２９ｂが図５（ｂ）において時計回りに回転すると、それに伴い、下降部分２４ｂは下降する。
【００４４】
なお、下降部分２４ｂは、吊り下げ部材３８に、リンク５４および回転部２９ｂを介して連結されている。吊り下げ部材３８の上昇する部分（衝突部分４４ｂの真下にある、吊り下げ部材３８の部分）の上昇に伴い、回転部２９ｂが図５（ｂ）において時計回りに回転し、下降部分２４ｂが下降する。
【００４５】
下降部分２４ａは、回転部２９ａの端部に回転できるように固定される。回転部２９ａが図５（ａ）において反時計回りに回転（図５（ｂ）における時計回りの回転に相当）すると、それに伴い、下降部分２４ａは下降する。
【００４６】
回転部２９ｂおよび下降部分２４ｂは、第一解除作動部を構成する。第一解除作動部は、回転部２９ｂにより共通回転軸２８を回転（図５（ｂ）における時計回りの回転）させながら、下降部分２４ｂを下降させて、第一支持解除部２２ｂを引っ張ることにより、第一支持解除部２２ｂを作動させる。
【００４７】
図１３を参照して、第一支持解除部２２ｂは、ほぼ直角に折れ曲がった形状をしており、水平な部分が下降部分２４ｂに連結され、上下方向に延伸する部分が倒れ防止部２０ｂに連結され、直角に折れ曲がった部分を中心に回転できる。
【００４８】
よって、下降部分２４ｂを下降させて、第一支持解除部２２ｂを引っ張ると、第一支持解除部２２ｂが図１３において反時計回りに回転し、倒れ防止部２０ｂを引っ張るので、第一支持解除部２２ｂが作動することになる。
【００４９】
回転部２９ａおよび下降部分２４ａは、第二解除作動部を構成する。第二解除作動部は、共通回転軸２８の回転（図５（ａ）における反時計回りの回転）に伴い回転部２９ａが回転し、下降部分２４ａを下降させて、第二支持解除部２２ａを引っ張ることにより、第二支持解除部２２ａを作動させる。
【００５０】
図１３を参照して、第二支持解除部２２ａは、ほぼ直角に折れ曲がった形状をしており、水平な部分が下降部分２４ａに連結され、上下方向に延伸する部分が倒れ防止部２０ａに連結され、直角に折れ曲がった部分を中心に回転できる。
【００５１】
よって、下降部分２４ａを下降させて、第二支持解除部２２ａを引っ張ると、第二支持解除部２２ａが図１３において時計回りに回転し、倒れ防止部２０ａを引っ張るので、第二支持解除部２２ａが作動することになる。
【００５２】
なお、第一解除作動部（回転部２９ｂおよび下降部分２４ｂ）と、第二解除作動部（回転部２９ａおよび下降部分２４ａ）とは上流側から見て（下流側から見ても）左右対称である。
【００５３】
なお、第一バネ５２ａ、第二バネ（第二力発生部）５２ｂ、回転体５６ａ、５６ｂについては、図１５などを用いて、後で説明する。
【００５４】
次に、本発明の実施形態の動作（低水位から高水位となり、ゲート１０が倒れるまで）を説明する。
【００５５】
通常は、下水Ｗの水位が低い。
【００５６】
図８は、下水Ｗの水位（W.L.と表記）が低いときの上流側から見たときの開閉装置１の右側面図である。図８を参照して、下水Ｗの水位（W.L.と表記）が低いときには、図５（ａ）、（ｂ）を用いて説明したとおりであり、ゲート１０は倒れ防止部２０ｂ、２０ａにより支持され、立ったままである。
【００５７】
ここで、降雨などにより、下水Ｗの水位が高くなっていく。
【００５８】
図９は、下水Ｗの水位（W.L.と表記）が高くなり、第一フロート１８の上端を超えたが、第二フロート１６がほぼ下水Ｗの水位よりも上に位置している場合の開閉装置１の右側面図である。なお、図９においては、下降部分２４ｂを図示省略している。
【００５９】
第一フロート１８は下水Ｗに水没しており、第一フロート１８の比重が下水Ｗの比重よりも小さいことから、本来は第一フロート１８が浮上し、第一フロート１８の上端が下水Ｗの水位を超えるようになるはずである。しかし、第一フロート１８は浮上しない。
【００６０】
第一フロート１８が浮上すれば、上側フロート挿入体３４Ｕも上昇し、上部支点３６が上昇するように、吊り下げ部材３８が吊り下げ支点４０を中心として回転（図９においては、時計回り）する。しかし、図６を参照して、衝突部分４４ｂが吊り下げ部材３８の上方に位置している。このため、吊り下げ部材３８の吊り下げ支点４０を中心として回転をしようとしても、吊り下げ部材３８が衝突部分４４ｂに衝突して、それ以上は回転できない、よって、吊り下げ部材３８の回転が防止されるので、第一フロート１８が浮上しない。
【００６１】
さらに、下水Ｗの水位が高くなっていく。
【００６２】
図１０は、下水Ｗの水位（W.L.と表記）がさらに高くなり、第二フロート１６が浮上した場合の開閉装置１の右側面図である。なお、図１０においては、ゲート回転軸２６を図示省略している。
【００６３】
第二フロート１６は第一フロート１８と同じ素材で形成され、底面の外径も等しい。しかし、第二フロート１６は第一フロート１８に比べて、上下方向の厚さが薄い。よって、第二フロート１６は第一フロート１８よりも軽い。これは、第二フロート１６が下水Ｗに部分的に水没したときは急激に浮上しやすいということを意味する。
【００６４】
図１１は、浮上防止部４４が回転したときの開閉装置１の浮上防止部４４近傍の拡大正面図である。
【００６５】
第二フロート１６が下水Ｗに部分的に水没して、急激に浮上すると、第二フロート支持はり４１が支点４１ａを中心として回転し、接続点４１ｂが上昇する。すると、浮上防止解除部（駆動部）４２が上昇し、回転可能部分４４ｃを上に突き動かし、回転可能部分４４ｃが固定部分４４ａを中心に回転する。すると、吊り下げ部材３８の上方から、衝突部分４４ｂが移動してしまい（図１１参照）、衝突部分４４ｂの真下にある、吊り下げ部材３８の部分の上昇を妨げるものは無くなる。
【００６６】
ここで、第一フロート１８は下水Ｗに完全に水没しており、大きな浮力を受けているため、第一フロート１８が急激に浮上しようとする。その結果、吊り下げ部材３８は吊り下げ支点４０を中心として回転（図１０において、時計回り）する。
【００６７】
すると、リンク５４が上昇し、回転部２９ｂが共通回転軸２８を回転（図１０において、時計回り）させながら、下降部分２４ｂを下降させる。下降部分２４ｂを下降させて、第一支持解除部２２ｂを引っ張ると、第一支持解除部２２ｂが図１３において反時計回りに回転し、倒れ防止部２０ｂを引っ張るので、第一支持解除部２２ｂが作動する。よって、倒れ防止部２０ｂはゲート１０から外れる（図１２参照）。
【００６８】
図１３は、開閉装置１を下流側から見た図であり、共通回転軸２８を透視し、さらに、第一解除作動部（回転部２９ｂおよび下降部分２４ｂ）および第二解除作動部（回転部２９ａおよび下降部分２４ａ）、倒れ防止部２０ｂ、２０ａ、第一支持解除部２２ｂ、第二支持解除部２２ａを図示したものである。
【００６９】
共通回転軸２８が回転（図１０において、時計回り）すると、図５（ａ）において共通回転軸２８が反時計回りに回転することになり、下降部分２４ａが下降して、第二支持解除部２２ａを引っ張り、第二支持解除部２２ａが図１３において時計回りに回転し、倒れ防止部２０ａを引っ張るので、第二支持解除部２２ａが作動する。よって、倒れ防止部２０ａがゲート１０から外れる（図１２参照）。
【００７０】
このように、第一フロート１８の浮上（なお、「浮上」は、必ずしも上端が水面に露出すること必要とせず、上端が水面に向かって動くことも含むものとする）に伴い、第一支持解除部２２ｂおよび第二支持解除部２２ａが作動する。
【００７１】
なお、図１２は、ゲート１０が倒れた状態の、倒れ防止部２０ａ、２０ｂ近傍を透視した平面図である。倒れ防止部２０ａ、２０ｂが、ゲート１０から外れたので、ゲート１０は下水Ｗの水圧により、下流側に倒れる。
【００７２】
図１４は、下水Ｗが下流側に流れた後の開閉装置１の右側面図である。下水Ｗが下流側に流れることなどにより、第二フロート１６の下端よりも水位が低くなれば、第一フロート１８は下水Ｗの水面に浮かびながら、下降していく。これにより、吊り下げ部材３８も水平に戻る。しかも、第二フロート１６は下降し、接続点４１ｂも下がり、浮上防止部４４も元通りに、吊り下げ部材３８を抑えつける位置（図６参照）に戻る。
【００７３】
本発明の実施形態によれば、第一フロート１８が下水Ｗに水没しても、第二フロート１６が浮上するまでは、浮上防止部４４が吊り下げ部材３８を抑えつけており（図６参照）、第一フロート１８が浮上できない。
【００７４】
ここで、第二フロート１６の急激に浮上すると、それに伴い、浮上防止部４４が回転し、吊り下げ部材３８を抑えつけなくなり（図１１参照）、第一フロート１８は急激な浮上を開始する（すでに、水没しており、大きな浮力が第一フロート１８に働いている）。これにより、吊り下げ部材３８の支点４０を中心に図１０において時計回りに回転し、リンク５４が上昇することで、回転部２９ｂが時計回りに回転し、下降部分２４ｂが下降して、第一支持解除部２２ｂが引っ張られ（図１３参照）、倒れ防止部２０ｂが引っ張られて、ゲート１０の支持が解除される。
【００７５】
しかも、回転部２９ｂの図１０における時計回りの回転に伴い、共通回転軸２８が回転し、回転部２９ａが回転して（図５（ａ）において反時計回り）、下降部分２４ａが下降して、第二支持解除部２２ａが引っ張られ（図１３参照）、倒れ防止部２０ａが引っ張られて、ゲート１０の支持が解除される。なお、原則、引っ張りにより、動作が伝達されることは、倒れ防止部２０ａ、２０ｂによるゲート１０の支持解除が同時に行われるようにするために、有益である。
【００７６】
ここで、第一フロート１８が急激な浮上を行うため、倒れ防止部２０ｂによるゲート１０の支持の解除も急激に行われるので、ゲート１０が素早く倒れて開くことができる。
【００７７】
しかも、倒れ防止部２０ａ、２０ｂが共通回転軸２８により連結されることになるが、共通回転軸２８は、中空のゲート回転軸２６に入っており、ゲート回転軸２６の内部には下水Ｗが入らないようになっているので、共通回転軸２８が下水Ｗにさらされない。
【００７８】
しかも、本発明の実施形態における開閉装置１は、ゲート１０が倒れたから、流路の水位が低くなった場合に、ゲート１０が立った状態に戻るようになっている。
【００７９】
図１５は、ゲート１０が倒れたときの開閉装置１の側面図であり、上流側から見て左側面図（図１５（ａ））、右側面図（図１５（ｂ））である。開閉装置１は、先に記載したように、第一バネ５２ａ、第二バネ（第二力発生部）５２ｂ、リンク５４、回転体５６ａ、５６ｂを備える。さらに、開閉装置１は、リンク５８を有する。
【００８０】
回転体５６ａ、５６ｂは、ゲート回転軸２６に固定され、ゲート回転軸２６とともに回転する。
【００８１】
第一力発生部は、第一バネ５２ａおよびリンク５８により構成される。第一バネ５２ａは、第一力発生部の一端５２ａ−１に固定されている。リンク５８は、第一力発生部の他端５８ａに固定され、第一バネ５２ａに連結される。
【００８２】
第一力発生部の一端５２ａ−１が、ゲート回転軸２６よりも上に固定されている。第一力発生部の他端５８ａは、第一力発生部の他端５８ａは回転体５６ａに固定されており、ゲート回転軸２６（の中心）から、所定長さだけ離れた位置に配置されている。すなわち、回転体５６ａがゲート回転軸２６とともに回転しても、第一力発生部の他端５８ａとゲート回転軸２６（の中心）との距離（所定長さ）は変わらない。
【００８３】
第一バネ５２ａは、ゲート１０を立った状態に戻る力を発生する。ただし、第一バネ５２ａは、ゲート１０が倒れた状態では、ゲート１０を立った状態にするためには充分ではない力を発生する。図１５（ａ）を参照して、ゲート１０が倒れた状態における、第一力発生部の一端５２ａ−１と第一力発生部の他端５８ａとを結んだ直線と、ゲート回転軸２６の中心との距離Ｄ１（一端５２ａ−１と他端５８ａとを結んだ直線に、ゲート回転軸２６の中心から下ろした垂線の長さに相当する）が短い。よって、ゲート回転軸２６を、図１５（ａ）において時計回りに回転させるトルクが小さく、ゲート１０を立った状態にするためには力が充分ではない。
【００８４】
第二力発生部は、第二力発生部の一端５２ｂ−１および第二力発生部の他端５２ｂ−２の双方に固定された第二バネ５２ｂを有する。ただし、第二バネ５２ｂを一端５２ｂ−１（または他端５２ｂ−２）に固定し、リンクを他端５２ｂ−２（または一端５２ｂ−１）に接続し、第二バネ５２ｂとリンクとを接続するようにすることも考えられる。
【００８５】
第二力発生部の一端５２ｂ−１は、ゲート回転軸２６よりも上に固定される。第二力発生部の他端５２ｂ−２は回転体５６ｂに固定されており、ゲート回転軸２６（の中心）から、所定長さだけ離れた位置に配置されている。すなわち、回転体５６ｂがゲート回転軸２６とともに回転しても、第二力発生部の他端５２ｂ−２とゲート回転軸２６（の中心）との距離（所定長さ）は変わらない。
【００８６】
なお、ゲート１０が倒れた状態における、第二力発生部の一端５２ｂ−１と第二力発生部の他端５２ｂ−２とを結んだ直線と、ゲート回転軸２６の回転中心との距離Ｄ２（一端５２ｂ−１と他端５２ｂ−２とを結んだ直線に、ゲート回転軸２６の中心から下ろした垂線の長さに相当する）は、距離Ｄ１よりも長い。しかし、第二バネ５２ｂは第一バネ５２ａよりも長く（バネ定数は小さくなる）、図１５（ｂ）において反時計回りに回転させるトルクは小さい。
【００８７】
なお、距離Ｄ２や第二バネ５２ｂを収縮させる長さを調整することで、流体（下水Ｗ）の流れる流路の水位が所定の水位以下であるときに、ゲート１０を立った状態にし始めるために充分な力を発生するようにする。ただし、第二バネ５２ｂの力を大きくしすぎて、流路の水位がまだ高いうちにゲート１０を立った状態にし始めるために充分な力を発生しないようにする。
【００８８】
すると、水位が所定の水位以下になったときに、第二バネ５２ｂの収縮力により、ゲート回転軸２６が回転し、ゲート１０が少し上がる。
【００８９】
図１６は、ゲート１０が少し上がったときの開閉装置１の側面図であり、上流側から見て左側面図（図１６（ａ））、右側面図（図１６（ｂ））である。
【００９０】
図１６（ａ）を参照して、ゲート１０が少し上がったときの第一力発生部の一端５２ａ−１と第一力発生部の他端５８ａとを結んだ直線と、ゲート回転軸２６の中心との距離は依然として短い。よって、第一バネ５２ａにより生じる、ゲート回転軸２６を時計回りに回転させるためのトルク（ゲート１０を上げるためのトルク）は依然として小さい。
【００９１】
図１６（ｂ）を参照して、ゲート１０が少し上がったときの第二力発生部の一端５２ｂ−１と第二力発生部の他端５２ｂ−２とを結んだ直線と、ゲート回転軸２６の中心との距離は依然として、長い。よって、第二バネ５２ｂにより生じる、ゲート回転軸２６を反時計回りに回転させるためのトルク（ゲート１０を上げるためのトルク）は依然として、ゲート１０を上げるために充分なものである。
【００９２】
さらに、ゲート１０が上がる。
【００９３】
図１７は、ゲート１０がさらに上がったときの開閉装置１の側面図であり、上流側から見て左側面図（図１７（ａ））、右側面図（図１７（ｂ））である。
【００９４】
図１７（ａ）を参照して、ゲート１０が所定の角度だけ倒れかけているときの第一力発生部の一端５２ａ−１と第一力発生部の他端５８ａとを結んだ直線と、ゲート回転軸２６の中心との距離Ｄ３は長い。すなわち、ゲート１０が倒れた状態における（図１５（ａ）参照）、第一力発生部の一端５２ａ−１と第一力発生部の他端５８ａとを結んだ直線と、ゲート回転軸２６の中心との距離Ｄ１が、距離Ｄ３よりも短い。なお、所定の角度未満だけ倒れかけているとき（図１７（ａ）よりも、ゲート１０が立っているとき）も、同様である。よって、ゲート１０が所定の角度以下だけ倒れかけているとき、第一バネ５２ａは、ゲート１０を立った状態にするために充分な力を発生する。すなわち、第一バネ５２ａにより生じるゲート回転軸２６を時計回りに回転させるためのトルク（ゲート１０を上げるためのトルク）が、ゲート１０を立った状態にするために充分に大きい。
【００９５】
図１７（ｂ）を参照して、ゲート１０がさらに上がったときの第二力発生部の一端５２ｂ−１と第二力発生部の他端５２ｂ−２とを結んだ直線と、ゲート回転軸２６の中心との距離はやや短くなる。よって、第二バネ５２ｂにより生じる、ゲート回転軸２６を反時計回りに回転させるためのトルク（ゲート１０を上げるためのトルク）はやや小さくなる。
【００９６】
最後に、ゲート１０が立った状態に戻る。
【００９７】
図１８は、ゲート１０が立った状態の開閉装置１の側面図であり、上流側から見て左側面図（図１８（ａ））、右側面図（図１８（ｂ））である。
【００９８】
図１８（ａ）を参照して、第一バネ５２ａにより生じるゲート回転軸２６を時計回りに回転させるためのトルクが大きい。
【００９９】
図１８（ｂ）を参照して、第二力発生部の一端５２ｂ−１と第二力発生部の他端５２ｂ−２とを結んだ直線上に、ゲート回転軸２６があり、第二バネ５２ｂにより生じる、ゲート回転軸２６を反時計回りに回転させるためのトルクはほぼ０となる。
【０１００】
本発明の実施形態によれば、ゲート１０が倒れたときは（図１５（ａ）参照）、バネ定数が大きい第一バネ５２ａにより生じるゲート１０を立った状態にするためのトルクは小さいので、流路の水位が高いうちに、ゲート１０が閉じてしまわないようにすることができる。
【０１０１】
しかも、ゲート１０が所定の角度以下だけ倒れかけているときには（図１７（ａ）参照）、第一バネ５２ａは、ゲート１０を立った状態にするために充分な力を発生する。よって、ゲート１０を立った状態にすることができる。
【０１０２】
さらに、ゲート１０が倒れたときは（図１５（ｂ）参照）、流体（下水Ｗ）の流れる流路の水位が所定の水位以下であるときに、ゲート１０を立った状態にし始めるために充分な力を発生するようにした第二バネ５２ｂにより、ゲート１０を立った状態にし始めることができる。
【図面の簡単な説明】
【０１０３】
【図１】本発明の実施形態にかかる開閉装置１を下水道１００Ｕ、１００Ｌに設けたときの動作の概要を説明する図であり、下水道１００Ｕの水位が低いときの図（図１（ａ））、下水道１００Ｕの水位が高くなりつつあるときの図（図１（ｂ））、下水道１００Ｕの水位が所定の高さ以上になった後の図（図１（ｃ））である。
【図２】開閉装置１の斜視図（ゲート１０が立っている状態）である。
【図３】開閉装置１の斜視図（ゲート１０が倒れている状態）である。
【図４】開閉装置１を上流側から見た図（図４（ａ））、下流側から見た図（図４（ｂ））である。
【図５】開閉装置１の側面図であり、上流側から見て左側面図（図５（ａ））、右側面図（図５（ｂ））である。
【図６】開閉装置１の浮上防止部４４近傍の拡大正面図である。
【図７】ゲート１０が立っている状態の、倒れ防止部２０ａ、２０ｂ近傍を透視した平面図である。
【図８】下水Ｗの水位（W.L.と表記）が低いときの上流側から見たときの開閉装置１の右側面図である
【図９】下水Ｗの水位（W.L.と表記）が高くなり、第一フロート１８の上端を超えたが、第二フロート１６がほぼ下水Ｗの水位よりも上に位置している場合の開閉装置１の右側面図である。
【図１０】下水Ｗの水位（W.L.と表記）がさらに高くなり、第二フロート１６が浮上した場合の開閉装置１の右側面図である。
【図１１】浮上防止部４４が回転したときの開閉装置１の浮上防止部４４近傍の拡大正面図である。
【図１２】ゲート１０が倒れた状態の、倒れ防止部２０ａ、２０ｂ近傍を透視した平面図である。
【図１３】開閉装置１を下流側から見た図であり、共通回転軸２８を透視し、さらに、第一解除作動部（回転部２９ｂおよび下降部分２４ｂ）および第二解除作動部（回転部２９ａおよび下降部分２４ａ）、倒れ防止部２０ｂ、２０ａ、第一支持解除部２２ｂ、第二支持解除部２２ａを図示したものである。
【図１４】下水Ｗが下流側に流れた後の開閉装置１の右側面図である。
【図１５】ゲート１０が倒れたときの開閉装置１の側面図であり、上流側から見て左側面図（図１５（ａ））、右側面図（図１５（ｂ））である。
【図１６】ゲート１０が少し上がったときの開閉装置１の側面図であり、上流側から見て左側面図（図１６（ａ））、右側面図（図１６（ｂ））である。
【図１７】ゲート１０がさらに上がったときの開閉装置１の側面図であり、上流側から見て左側面図（図１７（ａ））、右側面図（図１７（ｂ））である。
【図１８】ゲート１０が立った状態の開閉装置１の側面図であり、上流側から見て左側面図（図１８（ａ））、右側面図（図１８（ｂ））である。
【符号の説明】
【０１０４】
１００Ｕ、１００Ｌ  下水道
１  開閉装置
１０  ゲート
１０ａ  下流側の面
１２ａ、１２ｂ  枠柱
１２ｃ  底部
１４  プレート
１８  第一フロート
１６  第二フロート
２４ｂ、２４ａ  下降部分
２６  ゲート回転軸
２８  共通回転軸
２９ｂ、２９ａ  回転部
３８  吊り下げ部材
４１  第二フロート支持はり
４２  浮上防止解除部
４４  浮上防止部
４４ｂ  衝突部分
４４ａ  固定部分
４４ｃ  回転可能部分
５２ａ  第一バネ
５２ｂ  第二バネ（第二力発生部）
５４  リンク
５６ａ、５６ｂ  回転体
５８  リンク
第一解除作動部  回転部２９ｂおよび下降部分２４ｂ
第二解除作動部  回転部２９ａおよび下降部分２４ａ
【図１】
2010180567.tif 000003
【図２】
2010180567.tif 000004
【図３】
2010180567.tif 000005
【図４】
2010180567.tif 000006
【図５】
2010180567.tif 000007
【図６】
2010180567.tif 000008
【図７】
2010180567.tif 000009
【図８】
2010180567.tif 000010
【図９】
2010180567.tif 000011
【図１０】
2010180567.tif 000012
【図１１】
2010180567.tif 000013
【図１２】
2010180567.tif 000014
【図１３】
2010180567.tif 000015
【図１４】
2010180567.tif 000016
【図１５】
2010180567.tif 000017
【図１６】
2010180567.tif 000018
【図１７】
2010180567.tif 000019
【図１８】
2010180567.tif 000020